(57)【要約】      （修正有）【課題】自然で安定した歩行／走行を可能としたルームランナー用の歩行／走行の補助装置を提供する。【解決手段】使用者の腰部の両側において幅方向に移動自在に配置される一対の腰当部１０を備え、使用時における腰当部の腰部への当接により歩行時／走行時に使用者の身体の横ぶれブレを防止する。また使用者の背中の後方において上下方向に移動自在に配置される背当部１７を備え、使用時における背当部の背中への当接により歩行時／走行時に使用者の身体の前後のブレを防止する。【選択図】図２
0003102526.tif 000002
【実用新案登録請求の範囲】
【請求項１】
使用者の腰部の両側において幅方向に移動自在に配置される一対の腰当部を備え、使用時における腰当部の腰部への当接により歩行時／走行時に使用者の身体の横ぶれブレを防止するルームランナー用の補助装置。
【請求項２】
使用者の背中の後方において上下方向に移動自在に配置される背当部を備え、使用時における背当部の背中への当接により歩行時／走行時に使用者の身体の前後のブレを防止するルームランナー用の補助装置。
【請求項３】
ルームランナー本体に対して前後方向に移動自在としたルームランナー用の補助装置。
【請求項４】
使用者の腰部の両側において幅方向に移動自在に配置される一対の腰当部を備え、使用時における腰当部の腰部への当接により歩行時／走行時に使用者の身体の横ぶれブレを防止するとともに、連結部の一端が腰当部に固定される一方、他端が筒状の受部に摺動可能に嵌合され、連結部の他端の筒状の受部への嵌入度により、対向する一対の腰当部間の幅を調節するルームランナー用の補助装置。
【請求項５】
使用者の背中の後方において上下方向に移動自在に配置される背当部を備え、使用時における背当部の背中への当接により歩行時／走行時に使用者の身体の前後のブレを防止するとともに、上下端が開口された筒状部に背当部が固定された支持柱の下端を摺動可能に嵌合し、筒状部における支持柱の上下動に連動して背当部が上下動するルームランナー用の補助装置。
【請求項６】
断面コ字状に形成された移動部材は凹部内にルームランナーの基部の両側端部が前後方向に摺動可能に嵌合された請求項４又は５に記載のルームランナー用の補助装置。
【考案の詳細な説明】
【考案の詳細な説明】
【技術分野】
【０００１】  本考案はルームランナー用の歩行／走行の補助装置にかんする。
【背景技術】
【０００２】  走行部上で歩行／走行をおこなう種々のルームランナーが提供されている。このようなルームランナーにおいて歩行部／走行部の移動速度に合わせ使用者が歩行／走行をおこなうが、限られたスペースの歩行／走行部上で歩行／走行を安定して継続することは必ずしも容易でない。特に長時間に亘る使用やリハビリの訓練などでは安定した歩行がかなり困難となる。また使用中に歩行／走行速度の切り替え１できるルームランナも提案されているが、この場合、歩行／走行速度の切り替え時に使用者がバランスを崩すおそれもある。
【考案が解決しようとする課題】
【０００３】  本考案はこのような状況の下、自然で安定した歩行／走行を可能としたルームランナー用の歩行／走行の補助装置を提供するものである。
【課題を解決するための手段】
【０００４】  本考案は、歩行／走行の安定状態を保持するには、歩行時／走行時の身体の左右方向のぶれ（つまり歩行方向に直交する方向）や前後方向のぶれ（但し歩行方向を前方とする）の防止が重要なポイントになるとの着想に基づくものである。歩行／走行の基本動作（２足の交互移動）は腰部が基点となるから、腰部両側から支持的に当接する腰当部を設けるのが有効である。また前後方向のブレの防止には後方から当接して背中を支持する背当部を設ける。背筋を伸ばしたよい姿勢で歩行／走行することが重要であるが、背当部が後方から支持するように背中に当接し、前後方向の身体のブレ、特に後方への一定以上のブレを防止することができる。また使用者を基準として前記腰当部や背当部を適宜に移動しその位置決めをおこない、使用者の身体的条件（身長など）や目的などに応じた位置の調節をおこなうものである。
【０００５】  前記課題を解決するための手段は次の通りである。すなわち使用者の腰部の両側において幅方向に移動自在に配置される一対の腰当部を備え、使用時における腰当部の腰部への当接により歩行時／走行時に使用者の身体の横ぶれブレを防止する。
【０００６】  また使用者の背中の後方において上下方向に移動自在に配置される背当部を備え、使用時における背当部の背中への当接により歩行時／走行時に使用者の身体の前後のブレを防止する。
【０００７】  また使用者の腰部の両側において幅方向に移動自在に配置される一対の腰当部を備え、使用時における腰当部の腰部への当接により歩行時／走行時に使用者の身体の横ぶれブレを防止するとともに、連結部の一端が腰当部に固定される一方、他端が筒状の受部に摺動可能に嵌合され、連結部の他端の筒状の受部への嵌入度により、対向する一対の腰当部間の幅を調節する。
【０００８】  また使用者の背中の後方において上下方向に移動自在に配置される背当部を備え、使用時における背当部の背中への当接により歩行時／走行時に使用者の身体の前後のブレを防止するとともに、上下端が開口された筒状部に背当部が固定された支持柱の下端を摺動可能に嵌合し、筒状部における支持柱の上下動に連動して背当部が上下動する。
【０００９】  また断面コ字状に形成された移動部材は凹部内にルームランナーの基部の両側端部が前後方向に摺動可能に嵌合された。
【考案を実施するための最良の形態】  本考案にかかるルームランナー用の歩行／走行の補助装置１の実施の形態を図面を参照して説明する。ルームランナー２は歩行部あるいは歩行部３（以下、「歩行部あるいは歩行部」を「歩行部」と略称する）を備え、歩行部３はベルト状のものが回転移動し、ベルトの移動に合わせ使用者が歩行部３上で歩行／走行をおこなう。歩行部３の前部にハンドル５が立設され、使用者はハンドル５を握るとともに必要に応じて身体を支えることができる。このようなルームランナー２の構造は公知であり、その具体的構造に限定はない。【００１０】  歩行／走行の補助装置１はルームランナー２の本体と別に構成され、ルームランナに固定される（図３参照）。その固定の具体的な手段は問わない。また歩行／走行の補助装置１はルームランナー２の一部を構成するものとしてあらかじめランナー２と一体構造のものでもよい。【００１１】  補助装置１において、基底部５に固定された２本の柱部が立設され、柱部６の上端には横架部７が配設される。横架部７は使用者（図示せず）の側方と後方に配設され、前方が解放されている。側方の横架部７は腰部とほぼ同じかあるいは若干低い位置に設けるのがよい。側方の横架部７には互いに対向する一対の筒状の受部９が内側へ向けて突設され、腰当部１０はＬ字状の連結部１１を介して筒状の受部９に連結される。【００１２】  一対の腰当部６がルームランナー２の使用者の腰部（図示せず）の両側に配置される。腰当部１０は使用時に側方から使用者の腰部に当接し、歩行時／走行時に身体の横ぶれブレを防止する。腰当部１０は常に腰部に当接している必要はなく、腰部に当接される状態、位置にあればよい。一定の横ブレが阻止される範囲内であれば、腰当部１０と腰部との間に相当の間隔があってもよい。【００１３】  腰当部１０は幅方向に移動自在に配置されている。幅方向とは使用時における使用者からみて左右方向、つまり歩行方向に直交する方向である。腰当部１０の幅方向への移動により腰当部１０と腰部との間隔が調整される。これにより使用者は自己に適した間隔を保持することができ、また効果的に横ブレが阻止される。【００１４】  腰当部１０の幅方向の調整は種々に構成されるがその１例を示すと、連結部１１の一端１２が腰当部１０に固定される一方、他端１３が筒状の受部９に摺動可能に嵌合され、連結部の他端１３の筒状の受部９への嵌入度により、対向する一対の腰当部１０、１０間の幅を調節する。すなわちＬ字状の連結部１１は一端１２が腰当部１０に固定される一方、他端１３が筒状の受部９に摺動可能に嵌合される。連結部の他端１３を筒状の受部９にどの程度嵌入するかにより、腰当部１０と筒状の受部９との長さ（離間された長さ）が決まる。その長さがを調整した状態で筒状の受部９の螺子孔１５に螺子１６を螺入し、先端が他端１３の外周に圧接するまで螺子１６を緊締する。これにより受部９内に連結部の他端１３が固着され、同時に腰当部１０が側方の受部９に固定される。このように対向する一対の腰当部６、６間の長さを調整することにより幅方向の長さが調整される。また螺子孔１５に螺入された螺子１６を緩めると、嵌合された連結部１１の他端１３の固着が解除され、連結部の他端１３は筒状の受部９内で出入れ自在に摺動される。【００１５】  補助装置１は使用者の背中の後方において背当部１７を備え、使用時における背当部１７の背中への当接により歩行時／走行時に使用者の身体の前後のブレを防止する。背当部１７は後方から背中に当接して背中を支持し、特に前後方向へのブレを防止するのに有効である。背当部１７は使用時に常に背中に当接している必要はなく、背中に当接しうる状態あるいは位置にあればよい。図示の場合、背当部１７は２個の回転自在に設けられたローラ１９を備え、背中に当接したローラ１９が併せて背中をマッサージする機能を有する。【００１６】  背当部１７はその高さを調整することができる。背当部１７の上下方向の調整は種々に構成されるがその１例を示すと、上下端が開口された筒状部２０に背当部１７の固定された支持柱２１の下端２２を摺動可能に嵌合し、筒状部２０における支持柱２１の上下動に連動して背当部１７が上下動する。すなわちローラ１９を備える背当部１７は支持柱２１を介して筒状部２０に連結され、後方の横枠７の両端には上下端が開口された筒状部２０が設けられ、支持柱の下端２２が筒状部２０に摺動可能に嵌合され、筒状部２０における支持柱２１の上下動に連動して背当部１７が上下動する。筒状部２０の螺子孔２３には螺子２５が螺着され、先端が支持柱２１の外周を圧接するまで螺子２５を緊締すると、支持柱２１が筒状部２０に固定される。このように筒状部２０の上下動により背当部１７の高さ調節がおこなわれる。また螺子２５の緊締を緩めると支持柱の下端２２と筒状部２０との固定が解除される。【００１７】  ルームランナー用の補助装置１はルームランナー本体２６に対して前後方向に移動自在である。補助装置１の前後方向への移動は種々に構成されるがその１例を示す。すなわち基底部５は断面コ字状に形成され、凹部２７内には適宜な硬度をもつ合成樹脂製などの仕切り板２９が部分的に設けられている。仕切り板２９の下方の凹部内にルームランナーの基部の両側端部３０が嵌合され、嵌合状態で基底部５が基部の両側端３０に沿って前後方向に摺動する。基底部５を摺動するとともに前後方向に移動して５を基底部５の位置、従って補助装置のルームランナー本体２６に対する位置が調節される。【００１８】  基底部５の上部の螺子孔３１に螺子３２が螺着されるようになっており、先端が仕切り板２９を圧接するまで螺子３２を緊締すると、仕切り板２９がわずかに撓むようにルームランナーの基台３３に押圧され、基底部５がルームランナーの基台３３に固定される。また螺子３２の緊締を緩めると基底部５とルームランナーの基台３３との固定が解除される。
【考案の効果】
【００１９】使用者は身体的条件（身長や肥満度など）や目的に合わせ、腰当部、背当部と使用者（腰部、背中）との間隔を調整し、最適な当接状態が設定できる。このように本考案によれば、腰当部および／または背当部の位置を適宜に調整し、自然な歩行／走行を安定しておこなうことができる。またこのような安定した歩行／走行を長時間に亙りおこなうことができるなどの優れた効果を奏する。なお歩行／走行の補助装置１と同じ構造を含むルームランナー自体２も本考案の効力範囲に属するものである。
【図面の簡単な説明】
【図１】  ルームランナー用の補助装置の斜視図である。
【図２】  ルームランナー用の補助装置の分解斜視図である。
【図３】  ルームランナー用の補助装置を設けたルームランナーの斜視図である。
【図４】  筒状の受部にＬ字状の連結部の端部を嵌入する状態を示す部分拡大図である。
【図５】  同じく筒状の受部にＬ字状の連結部の端部を嵌入する状態を示す部分拡大図である。
【図６】  筒状部に支持柱の下端を摺動可能に嵌合した状態をを示す部分拡大図である。
【図７】  基底部を示す部分拡大図である。
【符号の説明】
１    補助装置
２    ルームランナー
５    基底部
１０  腰当部
１７  背当部
１９  ローラ
【図１】
0003102526.tif 000003
【図２】
0003102526.tif 000004
【図３】
0003102526.tif 000005
【図４】
0003102526.tif 000006
【図５】
0003102526.tif 000007
【図６】
0003102526.tif 000008
【図７】
0003102526.tif 000009
【手続補正書】
【提出日】平成15年12月22日(2003.12.22)
【手続補正１】
【補正対象書類名】実用新案登録請求の範囲
【補正対象項目名】全文
【補正方法】変更
【補正の内容】
【実用新案登録請求の範囲】
【請求項１】
使用者の腰部の両側において幅方向に移動自在に配置される一対の腰当部を備え、使用時における腰当部の腰部への当接により歩行時／走行時に使用者の身体の横    ブレを防止するルー厶ランナー用の補助装置。
【請求項２】
使用者の背中の後方において上下方向に移動自在に配置される背当部を備え、使用時における背当部の背中への当接により歩行時／走行時に使用者の身体の前後のブレを防止するルームランナー用の補助装置。
【請求項３】
使用者の腰部の両側において幅方向に移動自在に配置される一対の腰当部を備え、使用時における腰当部の腰部への当接により歩行時／走行時に使用者の身体の横    ブレを防止するとともに、連結部の一端が腰当部に固定される一方、他端が筒状の受部に摺動可能に嵌合され、連結部の他端の筒状の受部への嵌入度により、対向する一対の腰当部間の幅を調節するルームランナー用の補助装置。
【請求項４】
使用者の背中の後方において上下方向に移動自在に配置される背当部を備え、使用時における背当部の背中への当接により歩行時／走行時に使用者の身体の前後のブレを防止するとともに、上下端が開口された筒状部に背当部が固定された支持柱の下端を摺動可能に嵌合し、筒状部における支持柱の上下動に連動して背当部が上下動するルームランナー用の補助装置。
【請求項５】
断面コ字状に形成された移動部材は凹部内にルームランナーの基部の両側端部が前後方向に摺動可能に嵌合された請求項３又は４に記載のルームランナー用の補助装置。